(57)【特許請求の範囲】
【請求項１】
本体と、玉と、それを連結する吊糸と、で構成される技能上達訓練機能ならびに身体機能回復訓練機能付きのけん玉であって、
前記本体は、手元に受け皿部が形成される棒状の把持部の先端に先細り状のけん先部を形成すると共に、その先端方向に両面に受け皿部が形成される鼓状の皿胴部を十字形に配置して成り、
前記玉は、所定の大きさの球体状に形成すると共に、その表面の任意の箇所にけん先が嵌通されるけん先穴を穿設して成り、
前記吊糸は、前記本体の一端と前記玉の表面の一端を連結する所用の長さを有して成り、
前記技能上達訓練機能ならびに身体機能回復訓練機能は、前記受け皿部の凹部の最深部に磁石体を埋設すると共に、前記玉の表面に複数の磁着性金属板を埋設して形成されていることを特徴とするけん玉。
【請求項２】
前記技能上達訓練機能ならびに身体機能回復訓練機能が、前記受け皿部の外筒部に嵌着自在に取り付けられると共に、先端受け入れ部が徐々に大径になるラッパ状に形成され、さらに伸縮自在となる蛇腹状に形成される受け入れ補助具によって形成されていることを特徴とする請求項１記載のけん玉。
【請求項３】
前記技能上達訓練機能ならびに身体機能回復訓練機能が、前記玉のけん先穴に挿脱自在に形成されると共に、けん先穴径が異なる複数のけん先穴径交換用コマによって形成されていることを特徴とする請求項１または請求項２記載のけん玉。
【請求項４】
前記本体ならびに前記玉が、コルク、高圧縮発砲樹脂、合成樹脂、ゴム、シリコン、パルプモールドなどの軟質且つ軽量な何れかの素材で形成されていることを特徴とする請求項１から請求項３の何れか記載のけん玉。
【発明の詳細な説明】
【技術分野】
【０００１】  本発明は、けん玉筐体内に技能上達訓練機能ならびに身体機能回復訓練機能が備えられるけん玉に関する。
【背景技術】
【０００２】  従来における競技用ならびに遊戯用のけん玉の多くは、木材や合成樹脂製の素材で形成されているものが殆どあって、それらは主に競技性と遊戯性を目的としているため、けん玉自体が硬質の素材で形成されていると共に、遠心力を利用して競技の技を競うため、比較的重量を要して形成されているものであった。【０００３】  上記における競技性を追及したけん玉としては、むしろけん玉自体の改良よりも競技の技を競う傾向になっており、その競技の技の数は数千とも数万とも言われており、その競技人口も老若男女が楽しめる娯楽遊具としてや、教育現場への参加、生涯スポーツへの普及の観点から近年急速に増加していて競技大会も日本を始め世界大会にまで及ぶと共に、（公益社団法人）日本けん玉協会による段位の認定も全国各地で行われている。【０００４】  一方、遊戯性を追及したけん玉の提案としては、例えば、立体パズルの要素を加えて遊戯方法を拡大した「立体パズルの要素を付加した剣玉」（特許文献１）や、初心者から上級者まで楽しめる為に、数個の大きさの違う穴を設け、周囲に違った色を付け競技の方法を大きくした「剣玉」（特許文献２）などが提案され、公知技術となっている。【０００５】  しかしながら、係る「剣玉」の提案は、競技性と遊戯性を併せ持つ剣玉として開発されているもので、本発明が目的とする技能上達訓練機能ならびに身体機能回復訓練機能が備えられるけん玉とは、その構造と目的を異にするものであった。【０００６】  また、本発明のけん玉は、と一部目的を同じくする幼児や子供が扱っても危険がなくまた、遊戯用の各部品が紛失することがない剣玉風の「閉鎖空間擲投玩具」（特許文献３）が提案され、公知技術となっている。【０００７】  しかしながら、係る剣玉の提案は、透明な容器内に移動体（剣玉）を封入してその容器内でけん玉遊びをするもので、確かに安全性と遊戯性を兼ね備えているものではあるが、移動体（剣玉）自体が軽量な素材を使うことを限定していないことや、本発明のように磁性体が剣玉本体内に埋め込まれていない従来構造の剣玉であるため、運動能力が発達していない幼児やバランス感覚が衰えたお年寄り、さらに身体障害者や機能回復訓練者に至るまで幅広く利用できる剣玉の提案ではなかった。【０００８】  また、大皿、中皿、小皿、及びけん先が十文字配置で設けられたけんとこのけんに糸を介して連結された玉とを有するけん玉において、大皿、中皿、小皿の各皿部内径が公式競技用規格に基づいて形成されたけん玉の大皿、中皿、小皿の各皿部内径に対してそれぞれ７〜１２％ずつ大きく形成したことを特徴とする「けん玉」（特許文献４）が提案され、公知技術となっている。【０００９】  しかしながら、係る「けん玉」の提案は、単純に受け皿部とけん先部の形状を大きくしているに過ぎないことから、上達訓練用のけん玉に留まり、上達後に競技用ならびに遊戯用のけん玉として使用することができないといった問題があると同時に、運動能力が十分に発達していない子供やバランス感覚が衰えたお年寄り、さらに身体障害者や機能回復訓練者に至るまで幅広く利用することができるけん玉の提案ではなかった。【００１０】  本出願人は、けん玉の技能上達訓練機能ならびに身体機能回復訓練機能と安全性に着目し、けん玉自体を軽量且つ安全な構造とすることで、子供やお年寄りの技能上達訓練ならびに身体障害者の身体機能回復訓練に役立てることができないものかという着想の下、けん玉筐体内に技能上達訓練機能ならびに身体機能回復訓練機能が備えられるけん玉を開発し、本発明における「けん玉」の提案に至るものである。
【先行技術文献】
【特許文献】
【００１１】
【特許文献１】特開２００２−３６０７５４号公報
【特許文献２】特開２００７−３０７３２８号公報
【特許文献３】実開平０６−０１３８６８号公報
【特許文献４】実用新案登録第３１００３１７号公報
【発明の概要】
【発明が解決しようとする課題】
【００１２】  本発明は上記問題点に鑑み、けん玉筐体内に技能上達訓練機能ならびに身体機能回復訓練機能が備えられるけん玉の提供を図ることを課題とする。
【課題を解決するための手段】
【００１３】  本発明は上記課題を解決するためになされるもので、本発明のけん玉は、本体と、玉と、それを連結する吊糸と、で構成される技能上達訓練機能ならびに身体機能回復訓練機能付きのけん玉であって、前記本体は、手元に受け皿部が形成される棒状の把持部の先端に先細り状のけん先部を形成すると共に、その先端方向に両面に受け皿部が形成される鼓状の皿胴部を十字形に配置して成り、前記玉は、所定の大きさの球体状に形成すると共に、その表面の任意の箇所にけん先が嵌通されるけん先穴を穿設して成り、前記吊糸は、前記本体の一端と前記玉の表面の一端を連結する所用の長さを有して成り、前記技能上達訓練機能ならびに身体機能回復訓練機能は、前記受け皿部の凹部の最深部に磁石体を埋設すると共に、前記玉の表面に複数の磁着性金属板を埋設して形成されている手段を採る。【００１４】  また、本発明のけん玉は、前記技能上達訓練機能ならびに身体機能回復訓練機能が、前記受け皿部の外筒部に嵌着自在に取り付けられると共に、先端受け入れ部が徐々に大径になるラッパ状に形成され、さらに伸縮自在となる蛇腹状に形成される受け入れ補助具によって形成されている手段を採る。【００１５】  また、本発明のけん玉は、前記技能上達訓練機能ならびに身体機能回復訓練機能が、前記玉のけん先穴に挿脱自在に形成されると共に、けん先穴径が異なる複数のけん先穴径交換用コマによって形成されている手段を採る。【００１６】  また、本発明のけん玉は、前記本体ならびに前記玉が、コルク、高圧縮発砲樹脂、合成樹脂、ゴム、シリコン、パルプモールドなどの軟質且つ軽量な何れかの素材で形成されている手段を採る。
【発明の効果】
【００１７】  本発明のけん玉によれば、玉の表面の一部に磁着性金属板が埋設されると共に、受け皿部の最深部には磁石体が埋設されていることによって、遊戯時に磁着性金属板と磁石体が磁性によって優先的に誘着することから、幼児からお年寄り、さらに身体障害者に至るまで容易且つ楽しみながら利用することができるといった優れた効果を奏する。【００１８】  また、本発明のけん玉によれば、技能上達訓練機能ならびに身体機能回復訓練機能が、先端受け入れ部が徐々に大径になるラッパ状に形成され、さらに伸縮自在となる蛇腹状に形成される受け入れ補助具によって形成されていることによって、使用時においては、上達度に合わせて高さを変えることができると共に、熟練度が低い人や、運動能力が衰えている人などに簡単且つ容易に使用することができ、一方、使用しないときは、安定した載置台として利用することができるといった優れた効果を奏する。【００１９】  また、本発明のけん玉によれば、技能上達訓練機能ならびに身体機能回復訓練機能が、玉のけん先穴に挿脱自在に形成されると共に、けん先穴径が異なる複数のけん先穴径交換用コマによって形成されていることによって、とめけん技が容易に習得することができるようになると共に、徐々にけん先穴径を大きくしていくけん先穴径交換用コマを入れ替えることによって身体機能を回復する訓練が容易にできるようになるといった優れた効果を奏する。【００２０】  また、本発明のけん玉によれば、けん玉自体が、コルク、発砲樹脂、ゴム、シリコン、パルプモールドなどの軟質且つ軽量な何れかの素材で形成されていることによって、衝突によるおでこや手の甲のケガを回避することができると共に、運動能力が発達していない幼児からバランス感覚が衰えたお年寄りまで幅広くけん玉遊びができるもので、さらに身体障害者や機能回復訓練者のリハビリ用の遊戯具としても利用することができるといった優れた効果を奏する。【００２１】  また、本発明のけん玉によれば、軽量且つ安全な材質で形成されていることによって、歳の離れた孫と老人が歳の離れた孫と老人がけん玉を使って共通のコミニュケーション作りをすることができるといった優れた効果を奏する。
【図面の簡単な説明】
【００２２】
【図１】本発明におけるけん玉の実施形態を示す説明図である。（実施例１）
【図２】本発明におけるけん玉の別の実施形態を示す説明図である。（実施例２）
【図３】本発明におけるけん玉の別の実施形態を示す説明図である。（実施例３）
【発明を実施するため形態】
【００２３】  本発明のけん玉１０は、けん玉筐体内に技能上達訓練機能ならびに身体機能回復訓練機能５０を備えて初心者の競技の上達訓練ならびに身体障害者の機能回復訓練が容易にできる手段を採ったことを最大の特徴とする。以下、本発明の実施形態を、図面に基づいて説明する。
【００２４】  尚、本発明のけん玉１０は、以下に述べる実施例に限定されるものではなく、本発明の技術的思想の範囲内、すなわち同一の作用効果を発揮できる形状及び寸法の範囲内で、適宜変更することができる。
【実施例１】
【００２５】  図１は、本発明におけるけん玉の実施形態を示す説明図である。
図１（ａ）は、けん玉１０を示す全体斜視図である。
図１（ｂ）は、けん玉１０の使用状態を示す断面説明図である。
本発明のけん玉１０は、本体２０と、玉３０と、それを連結する吊糸４０と、で構成される技能上達訓練機能ならびに身体機能回復訓練機能５０付のけん玉１０であって、本体２０は、手元に受け皿部２２が形成される棒状の把持部２３の先端に先細り状のけん先部２４を形成すると共に、その先端方向に両面に受け皿部２２が形成される鼓状の皿胴部２１を十字形に配置して成り、玉３０は、所定の大きさの球体状に形成すると共に、その表面の任意の箇所にけん先が嵌通されるけん先穴３１を穿設して成り、吊糸４０は、本体２０の一端と玉３０の表面の一端を連結する所用の長さを有して成り、技能上達訓練機能ならびに身体機能回復訓練機能５０は、受け皿部２２の凹部の最深部に磁石体５１を埋設すると共に、玉３０の表面に複数の磁着性金属板５２を埋設して形成される。【００２６】  本体２０は、手元に受け皿部２２が形成される棒状の把持部２３の先端に先細り状のけん先部２４を形成すると共に、その先端方向に両面に受け皿部２２が形成される鼓状の皿胴部２１を十字形に配置して形成される。【００２７】  受け皿部２２は、受け口の大きさならびに深さを異にして本体２０の一端に複数設けられ、中央が球体状にへこむ凹部を形成すると共に、該最深部には、玉３０に埋設される磁着性金属板５２を磁着する磁石体５１が埋設されて形成される。【００２８】  玉３０は、所定の大きさの球体状に形成すると共に、その表面の任意の箇所にけん先部２４が嵌通されるけん先穴３１を穿設して形成され、その表面には受け皿部２２に埋設される磁石体５１に磁着する鉄、ステンレスなどの磁着性金属板５２を埋設して形成される。【００２９】  吊糸４０は、本体２０の一端と玉３０の表面の一端に所用の長さを有して連結される形状を有して形成される。【００３０】  磁着性金属板５２は、磁石体５１に磁着する例えば、鉄、ステンレスなどが使用され、玉３０の表面に埋設される。【００３１】  磁石体５１は、受け皿部２２の最深部に埋設されて玉３０の表面に埋設される磁着性金属板５２に磁着される。【００３２】  以上で構成される本発明のけん玉１０は、玉３０の表面に磁着性金属板５２が埋設されると共に、受け皿部２２の最深部には磁石体５１が埋設されていることによって、遊戯時に磁着性金属板５２と磁石体５１が磁性によって優先的に誘着することから、幼児からお年寄り、さらに身体障害者に至るまで容易且つ楽しみながら利用することができる。
【実施例２】
【００３３】  図２は、本発明におけるけん玉の別の実施形態を示す説明図である。
図２（ａ）は、けん玉１０を示す全体斜視図である。
図２（ｂ）は、けん玉１０の使用状態を示す断面説明図である。
本発明のけん玉１０は、技能上達訓練機能ならびに身体機能回復訓練機能５０が、受け皿部２２の外筒部に嵌着自在に取り付けられると共に、先端受け入れ部５４が徐々に大径になるラッパ状に形成され、さらに伸縮自在となる蛇腹状に形成される受け入れ補助具５３によって形成される。【００３４】  受け入れ補助具５３は、例えば、高圧縮発砲樹脂、合成樹脂、ゴム、シリコンなどの軟質且つ軽量な素材で形成されると共に、上方が下方に対して徐々に大径になるラッパ状に形成されるもので、上方が大径であることによって玉３０を受け入れ易くする形状に形成され、下方は受け皿部２２の外筒部に嵌着自在に取り付けられる形状に形成される。【００３５】  また、受け入れ補助具５３が、先端受け入れ部５４が徐々に大径になるラッパ状に形成され、さらに伸縮自在となる蛇腹状に形成されていることによって、使用時においては、上達度に合わせて高さを変えることができると共に、熟練度が低い人や、運動能力が衰えている人などに簡単且つ容易に使用することができ、一方、使用しないときは、逆さまにすることによって安定した載置台とすることができる。【００３６】  以上で構成される本発明のけん玉１０は、使用する人の上達度ならびに機能回復度にあわせて受け皿部２２の受け口の高さを自由に変えることができるといったこれまでの競技用ならびに遊戯用のけん玉にはない機能を備えて形成される。
【実施例３】
【００３７】  図３は、本発明におけるけん玉の別の実施形態を示す説明図である。
図３（ａ）は、けん玉１０を示す全体斜視図である。
図３（ｂ）は、けん玉１０の使用状態を示す断面説明図である。
本発明のけん玉１０は、技能上達訓練機能ならびに身体機能回復訓練機能５０が、玉３０のけん先穴３１に挿脱自在に形成されると共に、けん先穴径５６が異なる複数のけん先穴径交換用コマ５５によって形成される。【００３８】  けん先穴径交換用コマ５５は、玉３０のけん先穴３１に挿脱自在に形成されると共に、異なる複数のけん先穴径５６が穿設されて形成される。【００３９】  以上で構成される本発明のけん玉１０は、技能上達訓練機能ならびに身体機能回復訓練機能５０が、玉３０のけん先穴３１に挿脱自在に形成されると共に、けん先穴径５６が異なる複数のけん先穴３１入換えコマによって形成されていることによって、熟練度が低い人や、運動能力が衰えている人であっても、とめけん技が容易に習得することができるようになると共に、徐々にけん先穴径５６を大きくしていくけん先穴径交換用コマ５５を入れ替えることによって、身体機能を回復する訓練が段階的にできるようになるといったこれまでの競技用ならびに遊戯用のけん玉にはない機能を備えて形成される。【００４０】  本発明におけるけん玉の別の実施形態を説明する。
本発明のけん玉１０は、本体２０ならびに玉３０を、例えば、コルク、高圧縮発砲樹脂、合成樹脂、ゴム、シリコン、パルプモールドなどの軟質且つ軽量な何れかの素材で形成することができる。【００４１】  以上で構成される本発明のけん玉１０は、けん玉１０自体が、例えば、コルク、高圧縮発砲樹脂、合成樹脂、ゴム、シリコン、パルプモールドなどの軟質且つ軽量な何れかの素材で形成されていることによって、衝突によるおでこや手の甲のケガを回避することができると共に、運動能力が発達していない幼児からバランス感覚が衰えたお年寄りまで幅広くけん玉遊びができるもので、さらに身体障害者や機能回復訓練者のリハビリ用の遊戯具としても利用することもできる。さらにまた、けん玉１０自体が、軽量且つ安全な材質で形成されていることによって、歳の離れた孫と老人がけん玉１０を使って共通のコミニュケーション作りをすることができる。
【産業上の利用可能性】
【００４２】  本発明におけるけん玉は、軟質且つ軽量な素材で形成されると共に、けん玉筐体内に磁性体が装着されていることによって、誰でもが容易に楽しんでけん玉遊びができるもので、さらに使用する人の熟練度ならびに機能回復度に合わせて受け皿部の受け口の大きさが変えることができることから、本発明における「けん玉」の産業上の利用可能性は極めて大である。
【符号の説明】
【００４３】１０  けん玉
２０  本体
２１  皿胴部
２２  受け皿部
２３  把持部
２４  けん先部
３０  玉
３１  けん先穴
４０  吊糸
５０  技能上達訓練機能ならびに身体機能回復訓練機能
５１  磁石体
５２  磁着性金属板
５３  受け入れ補助具
５４  受け入れ部
５５  けん先穴径交換用コマ
５６  けん先穴径
【要約】
【課題】けん玉筐体内に技能上達訓練機能ならびに身体機能回復訓練機能が備えられるけん玉の提供を図る。
【解決手段】本体２０と、玉３０と、それを連結する吊糸４０と、で構成される技能上達訓練機能ならびに身体機能回復訓練機能５０付のけん玉１０であって、該本体２０は、手元に受け皿部２２が形成される棒状の把持部２３の先端に先細り状のけん先部２４を形成すると共に、その先端方向に両面に受け皿部２２が形成される鼓状の皿胴部２１を十字形に配置して成り、玉３０は、所定の大きさの球体状に形成すると共に、その表面の任意の箇所にけん先が嵌通されるけん先穴３１を穿設して成り、吊糸４０は、本体２０の一端と前記玉３０の表面の一端を連結する所用の長さを有して成り、技能上達訓練機能ならびに身体機能回復訓練機能５０は、受け皿部２２の凹部の最深部に磁石体５１を埋設すると共に、玉３０の表面に複数の磁着性金属板５２を埋設して形成される。
【選択図】図１【図１】
0005975188.tif 000002
【図２】
0005975188.tif 000003
【図３】
0005975188.tif 000004